(57)【要約】【課題】可搬式読取機のアンテナ構造において、アンテナ面を非接触タグのデータの表面に対して角度を為さないように配置することで、非接触タグのデータを確実に読み取らせ、また、データの読み取り際に、非接触タグを操作者に可視させて、そのデータの読み取り作業を容易にさせるとともに、データの読み取り後には、アンテナが邪魔にならないようにして、操作者が読み取ったデータの表示内容を本体上で容易に視ることができるようにすることにある。【解決手段】本体の非接触タグのデータの読み取り際に、アンテナを本体の非接触タグのデータの表示を見ながら電磁波が読み取れる位置に存在させる手段を設けている。【選択図】図１
2004139608.tif 000002
【特許請求の範囲】
【請求項１】
　非接触タグのデータを読み取り操作する読取操作部と読み取ったデータを表示する表示画面が備えられた表示部とを有する本体を設け、前記非接触タグのデータの読み取り際に該非接触タグに接近されるアンテナを前記本体に取り付ける可搬式読取機のアンテナ構造において、前記非接触タグのデータの読み取り際に、前記アンテナを前記本体の前記非接触タグのデータの表示を見ながら電磁波が読み取れる位置に存在させる手段を設けたことを特徴とする可搬式読取機のアンテナ構造。
【請求項２】
　前記アンテナは、前記本体の形状に係わりなく大きくすることができるように、可塑性の金属線材で形成されたことを特徴とする請求項１に記載の可搬式読取機のアンテナ構造。
【請求項３】
　前記手段は、前記本体にアンテナ係止穴を設け、このアンテナ係止穴に前記アンテナの基端部位を係止して構成されたことを特徴とする請求項１に記載の可搬式読取機のアンテナ構造。
【請求項４】
　前記手段は、前記本体の両側面にアンテナ収納パイプを設け、このアンテナ収納パイプに前記アンテナを出し入れ可能に設けて構成されたことを特徴とする請求項１に記載の可搬式読取機のアンテナ構造。
【発明の詳細な説明】
【技術分野】
【０００１】
　この発明は、可搬式読取機のアンテナ構造に係り、特に非接触タグのデータを表示しながら、できるだけ遠くの所から確実に読み取り可能とする可搬式読取機のアンテナ構造に関するものである。
【背景技術】
【０００２】
　物品を保管する場合に、物品を収納する物品箱を準備し、この物品箱の表面には、非接触タグ（非接触カード：無線周波数ＩＤタグ（ｒａｄｉｏ−ｆｒｅｑｕｅｎｃｙ　ｉｄｅｎｔｉｆｉｃａｔｏｎ　ｔｕｇ））を装着しているものがある。この非接触タグは、データ応答部を備え、物品のデータが入力されるとともに、個体データに相当する固有の電磁波（無線周波数）を発振するものである。この非接触タグのデータは、可搬式読取機（ＰＤＡ：ポータブル・デバイス・アタッチメント）によって管理されている。
【０００３】
　この可搬式読取機は、物品箱に装着した非接触タグのデータを読み取り操作する読取操作部と読み取ったデータを表示する表示画面が備えられた表示部とを有する本体を設け、非接触タグのデータの読み取り時に該非接触タグに接近されるアンテナを本体に取り付けて構成されている。
【０００４】
　従来、無線周波数ＩＤタグ（ｒａｄｉｏ−ｆｒｅｑｕｅｎｃｙ　ｉｄｅｎｔｉｆｉｃａｔｏｎ　ｔｕｇ）には、サンプル等を用紙に貼り込むための製造ラインを利用して、書籍の表紙等に取り付けられるものがある。
【特許文献１】特開２００３−１１５４３号公報
【発明の開示】
【発明が解決しようとする課題】
【０００５】
　ところで、従来、可搬式読取機においては、物品箱に装着した非接触タグの表示の表面に対して、アンテナのアンテナ面が所定の角度以上（例えば４５度以上）を為して配置された場合に、アンテナが非接触タグからの固有の電磁波を受け取ることが難しくなり、よって、非接触タグのデータが読み取りにくくなり、このデータを確実に読み取ることができなくなり、また、あまり近寄るとその表示が隠れて見えなくなるという不都合があった。
【課題を解決するための手段】
【０００６】
　この発明は、非接触タグのデータを読み取り操作する読取操作部と読み取ったデータを表示する表示画面が備えられた表示部とを有する本体を設け、前記非接触タグのデータの読み取り際に該非接触タグに接近されるアンテナを前記本体に取り付ける可搬式読取機のアンテナ構造において、前記非接触タグのデータの読み取り際に、前記アンテナを前記本体の前記非接触タグのデータの表示を見ながら電磁波が読み取れる位置に存在させる手段を設けたことを特徴とする。
【発明の効果】
【０００７】
　この発明は、非接触タグのデータの読み取りの際に、アンテナを本体の非接触タグのデータの表示を見ながら電磁波が読み取れる位置に存在させ、非接触タグのデータの読み取り易いアンテナ面を形成し、このアンテナ面を非接触タグのデータの表面に対して角度を為さないように配置することで、非接触タグのデータを確実に読み取らせることができ、また、データの読み取り際に、非接触タグの文字表示等を操作者に可視させてそのデータの読み取り作業を容易にさせるとともに、データの読み取り後には、アンテナを非接触タグのデータが読み取れる位置から存在させないようにすることで、同じ姿勢で操作者が読み取ったデータの表示内容を本体上で見ることができる。
【発明を実施するための最良の形態】
【０００８】
　この発明の可搬式読取機のアンテナ構造は、非接触タグのデータの読み取り作業を容易にさせるとともに、データの読み取り後には、アンテナが邪魔にならないようにする目的を、非接触タグのデータの読み取りの際に、アンテナを非接触タグのデータの表示を見ながら電磁波が読み取れる位置に存在させることで実現するものである。
　以下、図面に基づいてこの発明の実施例を詳細且つ具体的に説明する。
【実施例１】
【０００９】
　図１〜図４は、この発明の第１実施例を示すものである。
【００１０】
　図１、図２において、２は物品（図示せず）を入れる保管箱、４はこの保管箱２の表面２Ｆに装着された非接触タグ（非接触カード：無線周波数ＩＤタグ（ｒａｄｉｏ−ｆｒｅｑｕｅｎｃｙ　ｉｄｅｎｔｉｆｉｃａｔｏｎ　ｔｕｇ））、６は可搬式読取機（ＰＤＡ：ポータブル・デバイス・アタッチメント）である。保管箱２は、例えば、薬等の物品を入れて保管するものである。
【００１１】
　可搬式読取機６は、非接触タグ４のデータ応答部４Ａ（図４参照）に入力された物品のデータを読み取るものであり、本体８とアンテナ１０とからなる。
【００１２】
　非接触タグ４は、図４に示す如く、物品のデータが入力されるデータ応答部４Ａを備えている。このデータ応答部４Ａは、可搬式読取機６のアンテナ１０が接近すると、個体データに相当する固有の電磁波（無線周波数）を発振するものである。
【００１３】
　本体８は、図１に示す如く、例えば、四角形状であり、上面に、非接触タグ４のデータを読み取り操作するように、各ボタンやキー等の部品が備えられた読取操作部１２と、この読取操作部１２で読み取ったデータを表示する表示画面１４が備えられた表示部１６とを有している。また、本体８には、図４に示す如く、アンテナ１０に連絡した送受信部１８と、中央処理部（ＣＰＵ）２０と、メモリ２２と、表示部１６に連絡した表示指示部２４とが設けられている。
【００１４】
　アンテナ１０は、本体８の形状に係わらず大きくすることができるように、可塑性の金属線材（例えば、銅線、捻り細線）で、人の手で自在に曲げて変形可能な材質により、両端側の基端部位１０Ａ・１０Ａと中間部位１０Ｂ・１０Ｂと先端部位１０ＣとでＵ字形状に形成され、基端部位１０Ａ・１０Ａが前記送受信部１８に連絡して本体８の両側面８Ａ・８Ａに固定したアンテナ収納パイプ２６・２６のパイプ空間２６Ｓ・２６Ｓに出し入れ可能（摺動可能）に保持して設けられているとともに、先端部位１０Ｃが本体８の前端部２８の前面２８Ａ周りに配設され、そして、この先端部位１０Ｃが人の手によって引き出されたときには、中間部位１０Ｂ・１０Ｂが前端部２８側に延出可能なものである。
【００１５】
　つまり、本体８の非接触タグ４のデータの読み取り際に、アンテナ１０を本体８の非接触タグ４のデータの表示を見ながら電磁波が読み取れる位置に存在させる手段は、本体８の両側面８Ａ・８Ａにアンテナ収納パイプ２６・２６を設け、このアンテナ収納パイプ２６・２６にアンテナ１０を出し入れ可能に設けて構成されている。
【００１６】
　このアンテナ１０は、保管箱２の非接触タグ４のデータの読み取り際に、非接触タグ４に接近されるものであり、図３に示す如く、引き出されて前端部２８側に延出して中間部位１０Ｂ・１０Ｂが折曲部３０・３０で所定の折り曲げられ、本体８の前側に動作して該本体８側から中間部位１０Ｂ・１０Ｂと先端部位１０Ｃとで形成されるループ状（輪状）内を経て非接触タグ４を操作者に可視させるように形成され、一方、中間部位１０Ｂ・１０Ｂがアンテナ収納パイプ２６・２６のパイプ空間２６Ｓ・２６Ｓに押し入れられたときには、先端部位１０Ｃが本体８の前端部２８の前面２８Ａ周りに位置し、操作者が表示画面１４の表示内容を視るのを邪魔させないものである。
【００１７】
　次に、この第１実施例の作用を説明する。
【００１８】
　非接触タグ４のデータの読み取り際には、アンテナ１０の先端部位１０Ｃを保持して該アンテナ１０の中間部位１０Ｂ・１０Ｂをアンテナ収納パイプ２６・２６から引き出して本体８の前端部２８側に延出し（図１の一点鎖線で示す）、そして、図３に示す如く、この中間部位１０Ｂ・１０Ｂを折曲部３０・３０で所定の形状に曲げてアンテナ面１０Ｆを形成し、このアンテナ面１０Ｆを、保管箱２に装着した非接触タグ４の表面４Ｆに対して略平行に配置する（図２参照）。このとき、アンテナ１０は、本体８側から中間部位１０Ｂ・１０Ｂと先端部位１０Ｃとからなるループ状（輪状）内を経て非接触タグ４を操作者に可視させる。そして、操作者が読取操作部１２を操作すると、アンテナ１０を介して非接触タグ４が電磁波を発振し、そして、可搬式読取機６がアンテナ１０を介して非接触タグ４のデータを読み取る。なお、この場合に、アンテナ１０をアンテナ収納パイプ２６・２６から途中まで引き出した状態でも使用することが可能である。
【００１９】
　そして、このデータの読み取り操作が完了したならば、つまり、アンテナ１０の不使用時には、人の手により、アンテナ１０を元の形状に戻すように、アンテナ１０の中間部位１０Ｂ・１０Ｂをアンテナ収納パイプ２６・２６に押し入れることで、アンテナ１０がアンテナ収納パイプ２６・２６内に収納され、アンテナ１０は本体８の側面８Ａ・８Ａ及び前端部２８の前面２８Ａ周りに位置される。よって、操作者は、アンテナ１０に邪魔されることなく、可搬式読取機６の本体８上の表示画面１４の表示内容を容易に視ることができる。これにより、本体８上でアンテナ１０が邪魔になることがなく、アンテナ１０の保護を図るとともに、可搬式読取機６の取り扱いをさらに簡便とすることができる。なお、アンテナ１０の不使用時に、アンテナ１０を、アンテナ収納パイプ２６・２６から引き出して取り外し、保管することも可能であり、この場合、アンテナ１０の使用時には、アンテナ１０を再びアンテナ収納パイプ２６・２６に押し入れて使用する。
【００２０】
　この結果、アンテナ１０は、可搬式読取機６の本体８の側面８Ａ・８Ａにアンテナ収納パイプ２６・２６を設け、このアンテナ収納パイプ２６・２６にはアンテナ１０を出し入れ可能に設け、アンテナ１０は、アンテナ収納パイプ２６・２６から引き出されたときに非接触タグ４を可視させることから、非接触タグ４のデータの読み取りの際に、人の手により、アンテナ１０を、引き出し、そして、所定の形状に曲げ変形して、非接触タグ４のデータの読み取り易いアンテナ面１０Ｆを形成し、このアンテナ面１０Ｆを非接触タグ４のデータの表面４Ｆに対して角度を為さないように配置することで、非接触タグ４のデータの文字表示を確実に読み取らせることができ、また、データの読み取り時に非接触タグ４のデータの文字表示をループ状（輪状）内から操作者に可視させてそのデータの読み取り作業を容易にさせるとともに、データの読み取り後には、アンテナ１０を本体８の側面８Ａ・８Ａ及び前端部２８の前面２８Ａ周りに位置させ、アンテナ１０が邪魔にならないようにして、同じ姿勢で操作者に読み取ったデータの表示内容を容易に可視させることができ、また、全体をコンパクトとし、携帯を簡便にすることができる。
【００２１】
　また、アンテナ１０を自在に曲げて変形可能な可塑性の金属線材（例えば、銅線、捻り細線）で形成したことにより、本体８の形状に係わりなく大きくし、アンテナ１０を所定の形状に容易に変形することができ、アンテナ１０の取り扱いを簡便にすることができる。
【実施例２】
【００２２】
　図５、図６は、この発明の第２実施例を示すものである。
【００２３】
　この第２実施例の特徴とするところは、以下の点にある。即ち、非接触タグ４のデータの読み取り際に、アンテナ１０を本体８の非接触タグ４のデータが読み取れる位置に存在させる手段は、本体８の前端部２８の両側面２８Ｂ・２８Ｂにアンテナ係止穴３２・３２を設け、このアンテナ係止穴３２・３２にアンテナ１０の基端部位１０Ａ・１０Ａの端部位の折曲した係止部３４・３４を係止して構成されている。
【００２４】
　この第２実施例によれば、非接触タグ４のデータの読み取り際には、図５に示す如く、本体８のアンテナ係止穴３２・３２にアンテナ１０の基端部位１０Ａ・１０Ａの係止部３４・３４を押し入れて係止し、アンテナ１０を本体８に付け足して使用することができるとともに、非接触タグ４のデータの読み取り後には、図６に示す如く、アンテナ１０の基端部位１０Ａ・１０Ａの係止部３４・３４をアンテナ係止穴３２・３２から引き出して、アンテナ１０を本体８から取り外して邪魔にならないように保管することができる。
【産業上の利用可能性】
【００２５】
　非接触タグのデータの読み取り際に、アンテナを非接触タグのデータの表示を見ながら電磁波が読み取れる位置に存在させる構造を、他の機器にも適用することができる。
【図面の簡単な説明】
【００２６】
【図１】第１実施例において可搬式読取機の斜視図である。
【図２】第１実施例においてアンテナを曲げて非接触タグに接近した状態の可搬式読取機の側面図である。
【図３】第１実施例においてアンテナを曲げた状態の可搬式読取機の斜視図である。
【図４】第１実施例において可搬式読取機と非接触タグとのブロック図である。
【図５】第２実施例において可搬式読取機の斜視図である。
【図６】第２実施例において可搬式読取機の本体からアンテナを取り外した状態の斜視図である。
【符号の説明】
【００２７】
　　２　物品箱
　　４　非接触タグ
　　６　可搬式読取機
　　８　本体
　１０　アンテナ
　１２　読取操作部
　１４　表示画面
　１６　表示部
　２６　アンテナ収納パイプ
　３０　折曲部
【図１】
2004139608.tif 000003
【図２】
2004139608.tif 000004
【図３】
2004139608.tif 000005
【図４】
2004139608.tif 000006
【図５】
2004139608.tif 000007
【図６】
2004139608.tif 000008